(57)【特許請求の範囲】
【請求項１】
電圧供給部と、
前記電圧供給部と電圧測定ノードとの間に連結される基準抵抗と、
前記電圧測定ノードに並列に連結され、端部に浸水接触端がそれぞれ形成され、複数の浸水測定位置に各々位置する複数の浸水測定抵抗を備える浸水ユニットと、
前記電圧測定ノードに連結され、前記複数の浸水測定抵抗のうち、浸水した前記浸水接触端に連結された浸水測定抵抗に電流が流れることによって前記基準抵抗と、浸水した浸水接触端に連結された浸水測定抵抗とによって分圧される電圧を測定する電圧測定部と、
を含み、
前記複数の浸水測定抵抗のうち少なくとも１つの浸水測定抵抗で構成される組み合わせそれぞれによって得られる複数の合成抵抗値は相異なる浸水検出回路。
【請求項２】
前記複数の浸水測定抵抗は相異なる抵抗値を有する、請求項１に記載の浸水検出回路。
【請求項３】
前記複数の浸水測定抵抗の抵抗値は相異なる素数である、請求項１または２に記載の浸水検出回路。
【請求項４】
前記浸水接触端は前記複数の浸水測定抵抗から延びる電気線である、請求項１から３のいずれか一項に記載の浸水検出回路。
【請求項５】
前記電圧測定部はＡＤＣ（Ａｎａｌｏｇ  ｔｏ  Ｄｉｇｉｔａｌ  Ｃｏｎｖｅｒｔｅｒ）である、請求項１から４のいずれか一項に記載の浸水検出回路。
【請求項６】
電圧供給部と、
一端は前記電圧供給部と連結され、他端は電圧測定ノードに連結される基準抵抗と、
前記電圧測定ノードに並列に連結され、端部に浸水接触端がそれぞれ形成され、複数の浸水測定位置に各々位置する複数の浸水測定抵抗を備える浸水ユニットと、
前記電圧測定ノードに連結され、前記複数の浸水測定抵抗のうち、浸水した前記浸水接触端に連結された浸水測定抵抗に電流が流れることによって前記基準抵抗と、浸水した浸水接触端に連結された浸水測定抵抗とによって分圧された分圧電圧を測定する電圧測定部と、
前記電圧測定部と連結され、前記分圧電圧に基づいて浸水有無および浸水位置を判断する処理部と、
を含み、
前記複数の浸水測定抵抗のうち少なくとも１つの浸水測定抵抗で構成される組み合わせそれぞれによって得られる複数の合成抵抗値は相異なる浸水検出装置。
【請求項７】
前記複数の浸水測定抵抗は、前記浸水接触端が浸水することによって通電する、請求項６に記載の浸水検出装置。
【請求項８】
前記処理部は、前記複数の合成抵抗値のそれぞれに応じた前記分圧電圧が記録された複数の分圧電圧データが格納されたデータ格納部を備える、請求項６に記載の浸水検出装置。
【請求項９】
前記データ格納部は、さらに、前記複数の分圧電圧データのそれぞれと前記複数の浸水測定位置の少なくとも一つとを対応付けて格納する、請求項８に記載の浸水検出装置。
【請求項１０】
前記処理部は、前記データ格納部に格納された前記複数の分圧電圧データと前記分圧電圧とを比較して浸水有無および浸水位置を判断する、請求項８又は９に記載の浸水検出装置。
【請求項１１】
前記処理部は、前記複数の合成抵抗値のそれぞれを格納するデータ格納部を備える、請求項６から１０の何れか一項に記載の浸水検出装置。
【請求項１２】
前記データ格納部は、前記複数の合成抵抗値のそれぞれと、前記複数の浸水測定位置の少なくとも１つとを対応付けて格納する、請求項１１に記載の浸水検出装置。
【請求項１３】
前記処理部は、前記分圧電圧と前記電圧供給部の供給電圧および前記基準抵抗に基づいて前記浸水ユニットの逆算合成抵抗を演算する合成抵抗逆算部をさらに備える、請求項１１又は１２に記載の浸水検出装置。
【請求項１４】
前記処理部は、前記合成抵抗逆算部が逆算した前記逆算合成抵抗と前記データ格納部に格納された前記複数の合成抵抗値とを比較して浸水有無および浸水位置を判断する、請求項１３に記載の浸水検出装置。
【請求項１５】
前記処理部による前記浸水有無および前記浸水位置を表示する表示部をさらに含む、請求項１０又は１４に記載の浸水検出装置。
【発明の詳細な説明】
【技術分野】
【０００１】
本出願は２０１１年９月２１日に韓国特許庁に提出された韓国特許出願第１０−２０１１−００９５０８２号および２０１２年２月１６日に韓国特許庁に提出された韓国特許出願第１０−２０１２−００１５５９６号の出願日の利益を主張し、その内容の全ては本明細書に含まれる。
【０００２】
本発明は、浸水検出回路およびそれを用いた浸水検出装置に関し、より詳しくは、浸水位置を把握することができる浸水検出回路とそれを用いた浸水検出装置に関する。
【背景技術】
【０００３】
電気電子設備や機械設備などは、水によって浸水する場合にその機能が低下するか喪失される。したがって、浸水した電気電子設備や機械設備などは即時に修理や交替が要求される。特に複数の部品で構成された設備において、一部の部品だけが浸水した場合、該設備の浸水程度と浸水位置を把握することは、設備の交替有無および修理部分を把握するのに重要である。
【０００４】
また、電気電子設備や機械設備以外にも大規模な設備、工場などの施設においても、浸水程度と浸水位置を把握することは設備や施設を維持するのに重要である。韓国登録特許第５３６５２４号「浸水検知装置およびその浸水検知装置を含む浸水警報システム」は、圧力差を検知する差圧センサを介して浸水有無および浸水の水位を把握する浸水検知装置について開示している。
【発明の概要】
【発明が解決しようとする課題】
【０００５】
本発明は、浸水によって通電する複数の抵抗を用いた浸水検出回路および浸水検出装置を提供する。
【課題を解決するための手段】
【０００６】
前記課題を解決するための本発明による浸水検出回路は、電圧供給部と、前記電圧供給部と電圧測定ノードとの間に連結される基準抵抗と、前記電圧測定ノードに並列に連結され、端部には浸水接触端が形成された複数の浸水測定抵抗を備える浸水ユニットと、前記電圧測定ノードに連結され、前記浸水接触端が浸水することによって前記基準抵抗と前記浸水ユニットによって分圧される電圧を測定する電圧測定部とを含む。
【０００７】
また、前記複数の浸水測定抵抗のうち任意に選択された１つ以上の浸水測定抵抗の合成抵抗値は相異なってもよい。なお、前記複数の浸水測定抵抗は相異なる抵抗値を有してもよい。また、前記複数の浸水測定抵抗の抵抗値は相異なる素数であってもよい。なお、前記浸水接触端は前記浸水測定抵抗から延びる電気線であってもよい。また、前記電圧測定部はＡＤＣ（Ａｎａｌｏｇ  ｔｏ  Ｄｉｇｉｔａｌ  Ｃｏｎｖｅｒｔｅｒ）であってもよい。
【０００８】
前記課題を解決するための本発明による浸水検出装置は、電圧供給部と、一端は前記電圧供給部と連結され、他端は電圧測定ノードに連結される基準抵抗と、前記電圧測定ノードに並列に連結され、複数の浸水測定位置に各々位置する複数の浸水測定抵抗を備える浸水ユニットと、前記電圧測定ノードに連結され、前記基準抵抗と前記浸水ユニットによって分圧された分圧電圧を測定する電圧測定部と、前記電圧測定部と連結され、前記分圧電圧に基づいて浸水有無および浸水位置を判断する処理部とを含む。
【０００９】
また、前記複数の浸水測定抵抗は、各々、端部に浸水接触端を備え、前記浸水接触端が浸水することによって通電してもよい。なお、前記複数の浸水測定抵抗の組み合わせによる合成抵抗値は各々相異なってもよい。また、前記処理部は、前記各々の合成抵抗値に応じた前記分圧電圧が記録された分圧電圧データが格納されたデータ格納部を備えてもよい。なお、前記データ格納部には、前記分圧電圧データに対応する前記浸水測定抵抗が位置する前記浸水測定位置がさらに格納されてもよい。
【００１０】
また、前記処理部は、前記データ格納部に格納された前記分圧電圧データと前記分圧電圧を比較して浸水有無および浸水位置を判断してもよい。なお、前記処理部は、前記合成抵抗値が記録された合成抵抗データが格納されたデータ格納部を備えてもよい。
【００１１】
また、前記データ格納部は、前記合成抵抗値の各々に対応する前記浸水測定抵抗が位置する前記浸水測定位置が前記各々の合成抵抗値と連係してさらに格納されてもよい。なお、前記処理部は、前記分圧電圧と前記電圧供給部の供給電圧および前記基準抵抗に基づいて前記浸水ユニットの逆算合成抵抗を演算する合成抵抗逆算部をさらに備えてもよい。
【００１２】
また、前記処理部は、前記合成抵抗逆算部が逆算した前記逆算合成抵抗と前記データ格納部に格納された前記合成抵抗データを比較して浸水有無および浸水位置を判断してもよい。なお、前記処理部による前記浸水有無および前記浸水位置を表示する表示部をさらに含んでもよい。
【発明の効果】
【００１３】
本発明による浸水検出回路および浸水検出装置は、浸水有無および浸水位置を検出することができる。また、安価で回路を構成することができ、設置が容易であり、且つ、浸水測定箇所の拡張が容易である。
【図面の簡単な説明】
【００１４】
【図１】本発明の実施形態による浸水検出回路を示すブロック図である。
【図２】本発明の実施形態による浸水検出装置を示すブロック図である。
【図３】本発明の実施形態による浸水検出装置を自動車に適用した例を示す図である。
【図４】本発明の実施形態による浸水検出装置を工場に適用した例を示す図である。
【発明を実施するための形態】
【００１５】
以下、添付図面を参照して本発明の実施形態を詳細に説明する。但し、本実施形態は以下にて開示される実施形態に限定されるものではなく様々な形態で実現されることができ、単に本実施形態は本発明の開示が完全になるようにし、通常の知識を有する者に発明の範疇を完全に知らせるために提供されるものである。図面における要素の形状などは明確な説明のために誇張して表現された部分があり得るし、図面上に同一符号で表示された要素は同一要素を意味する。
【００１６】
図１は、本発明の実施形態による浸水検出回路を示すブロック図である。図１に示すように、本発明の実施形態による浸水検出回路１００は、電源供給部１０、基準抵抗２０、浸水ユニット３０および電圧測定部４０を含む。
【００１７】
電源供給部１０は、浸水検出回路１００に電圧を供給する電気的なソースである。電源供給部１０としては、浸水検出回路１００が取り付けられる装置や設備の駆動電源が用いられることができる。または、電源供給部１０は、浸水検出回路１００に別に備えられる電源であってもよい。電源供給部１０は基準抵抗２０の一端と連結されることができる。また、基準抵抗２０の他端は浸水ユニット３０と連結されることができる。
【００１８】
浸水ユニット３０は、並列に連結された複数の浸水測定抵抗３１〜３４を備える。浸水測定抵抗３１〜３４の各々は、相異なるインピーダンスを有する抵抗で構成されることができる。また、複数の浸水測定抵抗３１〜３４のうち少なくとも１つ以上の浸水測定抵抗で構成される浸水測定抵抗のすべての組み合わせによる合成抵抗値が各々相異なる値を有するように構成されることができる。
【００１９】
合成抵抗値が各々相異なる値を有するようにするための一例として、各浸水測定抵抗３１〜３４のインピーダンスは相異なる素数になるように選択されることができる。例えば、第１浸水測定抵抗３１は３ＫΩ、第２浸水測定抵抗３２は５ＫΩ、第３浸水測定抵抗３３は７ＫΩ、第４浸水測定抵抗（図示せず）は１１ＫΩ、のような方式で、Ｎ個の相異なる素数の抵抗値が選択されることができる。
【００２０】
一方、各浸水測定抵抗３１〜３４の端部には浸水接触端３１ａ〜３４ａが各々備えられることができる。浸水接触端３１ａ〜３４ａは水による浸水時に水と接触する部分であり、浸水接触端３１ａ〜３４ａが浸水すれば、該浸水測定抵抗３１〜３４と、基準抵抗２０、および電源供給部１０で構成される閉回路が形成されるようになる。
【００２１】
浸水接触端３１ａ〜３４ａは、導電性物質で形成され、例えば、浸水測定抵抗３１〜３４から延びる電気線であってもよい。したがって、複数の浸水接触端３１ａ〜３４ａのうち一部が浸水すれば、浸水した浸水接触端と連結された浸水測定抵抗は通電し、浸水しない浸水接触端と連結された浸水測定抵抗へは通電しない。
【００２２】
一方、基準抵抗２０と浸水ユニット３０が連結される地点（以下、電圧測定ノード）５０には電圧測定部４０が連結され、電圧測定ノード５０の電圧を測定することができる。浸水が生じない場合は、浸水ユニット３０に電流が流れないため、電源供給部１０から提供された電圧は基準抵抗２０にのみ提供される。
【００２３】
しかし、浸水接触端３１ａ〜３４ａの一部または全部が浸水した場合は、基準抵抗２０を通過した電流は浸水した浸水接触端が連結された浸水測定抵抗に流れるようになり、電源供給部１０から提供された電圧は基準抵抗２０と該浸水測定抵抗に分圧される。したがって、電圧測定部４０で測定された電圧測定ノード５０の電圧値によって浸水有無を確認することができる。
【００２４】
また、上述したように、浸水測定抵抗３１〜３４の組み合わせによる合成抵抗値が各々相異なる値を有するように浸水測定抵抗３１〜３４のインピーダンスが選択されるため、浸水位置に応じて電圧測定ノード５０の電圧は異なる。したがって、電圧測定部４０で測定された電圧測定ノード５０の電圧値を確認するだけで浸水した浸水位置まで把握することができる。
【００２５】
例えば、電源供給部から５Ｖ  ＤＣ供給電圧が提供され、基準抵抗２０は５ＫΩ、第１浸水測定抵抗３１は３ＫΩ、第２浸水測定抵抗３２は５ＫΩ、第３浸水測定抵抗３３は７ＫΩの抵抗値を有するように設定された場合、
１）第１浸水測定抵抗３１と連結された浸水接触端３１ａだけが浸水すれば、電圧測定部４０で測定される電圧は５×｛３／（３＋５）｝＝１．８７５［Ｖ］となり、
２）第２浸水測定抵抗３２と連結された浸水接触端３２ａだけが浸水すれば、電圧測定部４０で測定される電圧は５×｛５／（５＋５）｝＝２．５［Ｖ］となり、
３）第３浸水測定抵抗３３と連結された浸水接触端３３ａだけが浸水すれば、電圧測定部４０で測定される電圧は５×｛７／（７＋５）｝＝２．９１７［Ｖ］となり、
４）第１浸水測定抵抗３１と連結された浸水接触端３１ａと第２浸水測定抵抗３２と連結された浸水接触端３２ａだけが浸水すれば、電圧測定部４０で測定される電圧は５×｛１．８７５／（１．８７５＋５）｝≒１．３６４［Ｖ］となり、
５）第１浸水測定抵抗３１と連結された浸水接触端３１ａと第３浸水測定抵抗３３と連結された浸水接触端３３ａだけが浸水すれば、電圧測定部４０で測定される電圧は５×｛２．１／（２．１＋５）｝≒１．４７９［Ｖ］となり、
６）第２浸水測定抵抗３２と連結された浸水接触端３２ａと第３浸水測定抵抗３３と連結された浸水接触端３３ａだけが浸水すれば、電圧測定部４０で測定される電圧は５×｛２．９１７／（２．９１７＋５）｝≒１．８４２［Ｖ］となり、
７）第１浸水測定抵抗３１と連結された浸水接触端３１ａと第２浸水測定抵抗３２と連結された浸水接触端３２ａと第３浸水測定抵抗３３と連結された浸水接触端３３ａだけが浸水すれば、電圧測定部４０で測定される電圧は５×｛１．４７９／（１．４７９＋５）｝≒１．１４１［Ｖ］となる。
【００２６】
上述した例示のように、浸水位置に応じて電圧測定部４０で測定される電圧が全て相異なるため、これを通じて浸水位置を把握できるようになる。すなわち、電圧測定部４０で測定される電圧が２．５［Ｖ］であれば、第２浸水測定抵抗３２が位置したところだけが浸水したことであり、電圧測定部４０で測定される電圧が１．１４１［Ｖ］であれば、第１浸水測定抵抗３１、第２浸水測定抵抗３２および第３浸水測定抵抗３３が位置したところだけが浸水したこととして把握することができる。
【００２７】
電圧測定部４０としては、アナログ値である電圧測定ノード５０の電圧値をデジタル値に変化するＡＤＣ（Ａｎａｌｏｇ  ｔｏ  Ｄｉｇｉｔａｌ  Ｃｏｎｖｅｒｔｅｒ）が用いられることができる。
【００２８】
本発明の実施形態による浸水検出回路１００は、従来の浸水有無を測定するために差圧センサやフローティングセンサなどを設ける代わりに、浸水接触端３１ａ〜３４ａが備えられた浸水測定抵抗３１〜３４を設けることにより、浸水有無および浸水位置を把握することができ、より安価で回路を構成することができる。
【００２９】
また、浸水測定抵抗３１〜３４をさらに並列に連結することによって浸水測定箇所の拡張が可能であり、回路の拡張設置が容易である。
【００３０】
以下では、本発明の実施形態による浸水検出装置について説明する。図２は、本発明の実施形態による浸水検出装置を示すブロック図である。図２に示すように、本発明の実施形態による浸水検出装置１０００は、上述した浸水検出回路１００と処理部２００および表示部３００を含む。浸水検出回路１００については上述したので説明を省略する。
【００３１】
処理部２００は、データ格納部２１０とデータ処理部２２０とを備えることができる。データ格納部２１０は、浸水測定抵抗３１〜３４の組み合わせによる合成抵抗値に応じた電圧測定ノード５０の分圧電圧値が記録された分圧電圧データを格納する。分圧電圧データは、合成抵抗値と基準抵抗２０の抵抗値と電源供給部１０の供給電圧値によって計算され、予めデータ格納部２１０に格納されることができる。
【００３２】
また、データ格納部２１０は、各分圧電圧値に対応する浸水測定抵抗３１〜３４の位置情報を各分圧電圧値と連係するように格納することができる。例えば、第１浸水測定抵抗３１の浸水接触端３１ａが浸水した場合の分圧電圧値データには第１浸水測定抵抗３１が連係して記録され、第２浸水測定抵抗３２の浸水接触端３２ａが浸水した場合の分圧電圧値データには第２浸水測定抵抗３２が連係して記録され、第１浸水測定抵抗３１と第２浸水測定抵抗３２の浸水接触端３１ａ，３２ａが浸水した場合の分圧電圧値データには第１浸水測定抵抗３１と第２浸水測定抵抗３２が連係して記録されることができる。その他の浸水測定抵抗３１〜３４に対する組み合わせの場合も同一の方式で記録されることができる。
【００３３】
データ処理部２２０は、電圧測定部４０が測定した分圧電圧に関する情報の伝達を受け、これをデータ格納部２１０に格納された分圧電圧データと比較する。データ処理部２２０は、分圧電圧データの分圧電圧値のうち、電圧測定部４０が測定した分圧電圧と同一であるか一定の誤差範囲内にある分圧電圧値を抽出し、該分圧電圧値と連係した浸水測定抵抗３１〜３４に関する情報を確認することができる。
【００３４】
または、データ格納部２１０には、分圧電圧データの代わりに浸水測定抵抗３１〜３４の組み合わせによる合成抵抗値が格納されることができる。また、各合成抵抗値に対応する浸水測定抵抗３１〜３４の位置情報が各合成抵抗値に連係するように格納されることができる。
【００３５】
データ処理部２２０は、電圧測定部４０が測定した分圧電圧に関する情報の伝達を受け、電源供給部１０の供給電圧値と基準抵抗２０の抵抗値に基づいて浸水ユニット３０の合成抵抗を演算することができる。この場合、電源供給部１０の供給電圧値は予め格納されることができ、電源供給部１０の出力端の電圧値をリアルタイムで検知して演算に用いることもできる。基準抵抗２０の抵抗値は、予め格納されたデータを用いることが、データ処理速度の向上および装置の簡素化のために好ましい。
【００３６】
データ処理部２２０は、演算された合成抵抗をデータ格納部２１０に格納された合成抵抗値と比較して、同一であるか一定の誤差範囲内にある合成抵抗値を抽出し、該合成抵抗値と連係した浸水測定抵抗３１〜３４に関する情報を確認することができる。
【００３７】
このような構成は、電源供給部１０の出力端の電圧値をリアルタイムで検知して演算に用いることができるため、回路が設けられる設備の電源を電源供給部１０に用いる場合において、相異なる大きさの電圧を用いる様々な設備にも適用が可能である。
【００３８】
前記のような構成により、処理部２００は、浸水有無は勿論、浸水測定抵抗３１〜３４に関する情報を通じて浸水測定抵抗３１〜３４が位置する浸水位置まで把握することができる。一方、表示部３００は処理部２００と連結され、浸水有無および浸水位置を使用者に視覚的に知らせることができる。
【００３９】
表示部３００は、ディスプレイ装置が用いられることができ、ディスプレイ装置の画面上には複数の浸水測定抵抗３１〜３４が位置する箇所が表示され、そのうち浸水した浸水測定抵抗が位置する箇所が同時に表示されるように構成することができる。
【００４０】
または、表示部３００は、複数の点滅ランプが用いられることができ、複数の点滅ランプのうち浸水した浸水測定抵抗が位置する箇所を表示するランプだけが点滅するように構成することができる。表示部３００は、浸水が検知される場合、使用者に浸水位置を表示すると同時に警告音を出すことができる。
【００４１】
以下では、本発明の実施形態による浸水検出装置を適用した例について説明する。図３は、本発明の実施形態による浸水検出装置を自動車に適用した例を示す図である。
【００４２】
図３に示すように、自動車１の各要素には、浸水測定抵抗３１〜３４が設けられることができる。浸水測定抵抗３１〜３４は、互いに並列に連結されるように設けられる。また、浸水測定抵抗３１〜３４の端部には、各々、浸水接触端３１ａ〜３４ａが備えられることができる。
【００４３】
浸水測定抵抗３１〜３４と浸水接触端３１ａ〜３４ａを含む浸水ユニット３０は基準抵抗２０と連結され、浸水ユニット３０と基準抵抗２０が連結される部分には電圧測定ノード５０が形成される。電圧測定ノード５０には電圧測定部４０が連結される。電圧測定部４０は、ＡＤＣ（Ａｎａｌｏｇ  ｔｏ  Ｄｉｇｉｔａｌ  Ｃｏｎｖｅｒｔｅｒ）が用いられることができる。
【００４４】
基準抵抗２０は電源供給部１０と連結される。電源供給部１０は自動車１に内蔵された自動車用バッテリーであってもよい。または、別に備えられる電気的な蓄電ソースであってもよい。処理部２００は電圧測定部４０と連結されて、各浸水測定抵抗３１〜３４が設けられた自動車１の各要素の浸水有無を把握することができる。処理部２００の構成について上述したので省略する。
【００４５】
処理部２００は、自動車１に内蔵されたＥＣＵ（Ｅｌｅｃｔｒｏｎｉｃ  Ｃｏｎｔｒｏｌ  Ｕｎｉｔ）４００に含まれることができる。処理部２００によって浸水が確認された自動車１の要素に関する情報はＥＣＵ４００に格納され、自動車点検のための診断機（図示せず）がＥＣＵ４００に連結されれば、該浸水情報を診断機に表示して浸水による修理対象を知らせることができる。
【００４６】
前記のような構成により、自動車の浸水有無および浸水した部品を容易に把握することができる。類似する構成で自動車以外にも大型の機械設備や電子設備などにも様々に適用することができる。
【００４７】
図４は、本発明の実施形態による浸水検出装置を工場に適用した例を示す図である。図４に示すように、工場２の各区域Ａ〜Ｅには、浸水測定抵抗３１〜３５が設けられる。浸水測定抵抗３１〜３５は互いに並列に連結されるように設けられる。また、浸水測定抵抗３１〜３５の端部には、各々、浸水接触端３１ａ〜３５ａが備えられることができる。
【００４８】
浸水測定抵抗３１〜３５と浸水接触端３１ａ〜３５ａを含む浸水ユニット３０は基準抵抗２０と連結され、浸水ユニット３０と基準抵抗２０が連結される部分には電圧測定ノード５０が形成される。電圧測定ノード５０には電圧測定部４０が連結される。電圧測定部４０は、ＡＤＣ（Ａｎａｌｏｇ  ｔｏ  Ｄｉｇｉｔａｌ  Ｃｏｎｖｅｒｔｅｒ）が用いられることができる。
【００４９】
基準抵抗２０は電源供給部１０と連結される。処理部２００は電圧測定部４０と連結されて、各浸水測定抵抗３１〜３４が設けられた工場２の各区域Ａ〜Ｅの浸水有無を把握することができる。処理部２００の構成については上述したので省略する。
【００５０】
処理部２００と連結された表示部３００は工場２の全体を管理／制御する制御室Ｆに備えられ、浸水測定抵抗３１〜３４が設けられた工場２の各区域Ａ〜Ｅの浸水有無を表示することができる。上述したように、表示部３００はディスプレイ装置や複数の点滅ランプなどが用いられることができる。
【００５１】
前記のような構成により、工場の浸水有無および浸水区域を容易に把握することができる。また、類似する構成で工場以外にも建物や大型設備などにも様々に適用されることができる。
【００５２】
前述し、図面に示された本発明の一実施形態は、本発明の技術的思想を限定すると解釈してはならない。本発明の保護範囲は請求範囲に記載された事項によってのみに制限され、本発明の技術分野で通常の知識を有した者であれば、本発明の技術的思想を様々な形態に改良変更することができる。したがって、このような改良および変更は通常の知識を有する者に明らかである限り、本発明の保護範囲に属すると言える。
【図１】
0005717262.tif 000002
【図２】
0005717262.tif 000003
【図３】
0005717262.tif 000004
【図４】
0005717262.tif 000005